(57)【要約】【課題】本来のライ角度よりも大きなライ角度となるようにしてゴルフクラブを構えた場合であっても、ボールのコントロールを容易に行え、従来と変らぬ飛距離を得ることができるゴルフクラブヘッド、ゴルフクラブを提供する。【解決手段】ゴルフクラブヘッドは、ソール部１１ｂが水平又は実質的に水平となる第１の状態におけるライ角度を第１のライ角度αとしたときに、第１のライ角度αよりも大きな角度のライ角度である第２のライ角度βを形成する第２の状態において、水平面と平行となるように形成された第２のスコアライン１３が少なくとも１本形成されている。【選択図】図１
2015164523.tif 000002
【特許請求の範囲】
【請求項１】
ソール部が水平又は実質的に水平となる第１の状態におけるライ角度を第１のライ角度としたときに、
前記第１のライ角度よりも大きな角度のライ角度である第２のライ角度を形成する第２の状態において、水平面と平行となるように形成されたスコアラインが少なくとも１本形成されているゴルフクラブヘッド。
【請求項２】
請求項１に記載のゴルフクラブヘッドにおいて、
前記スコアラインは、少なくともトウ側に配置されていること、
を特徴とするゴルフクラブヘッド。
【請求項３】
請求項２に記載のゴルフクラブヘッドにおいて、
前記トウから張り出してフェース面と同一面として形成され、かつ、前記スコアラインが形成された張り出し部が設けられていること、
を特徴とするゴルフクラブヘッド。
【請求項４】
請求項１または請求項２に記載のゴルフクラブヘッドにおいて、
フェース面において前記トウの下端が直線になっていること、
を特徴とするゴルフクラブヘッド。
【請求項５】
請求項１から請求項４までのいずれか１項に記載のゴルフクラブヘッドにおいて、
前記スコアラインに加えて、前記第１の状態において水平面と平行となるように形成されたスコアラインがさらに設けられていること、
を特徴とするゴルフクラブヘッド。
【請求項６】
請求項１から請求項５までのいずれか１項に記載のゴルフクラブヘッドと、
前記ゴルフクラブヘッドに接続されたシャフトと、
を備えるゴルフクラブ。
【発明の詳細な説明】
【技術分野】
【０００１】
本発明は、ゴルフクラブヘッド、ゴルフクラブに関するものである。
【背景技術】
【０００２】
従来から、ゴルフクラブのゴルフクラブヘッドには、そのフェース面にスコアラインと呼ばれる溝が複数設けられている。
図６は、従来のゴルフクラブ１００を示す図である。
従来のゴルフクラブ１００は、ゴルフクラブヘッド１１１のフェース面１１１ａに、複数のスコアライン１１２を有している。
スコアライン１１２は、ソール部１１１ｂと略平行に配列されている。したがって、従来のゴルフクラブ１００を、スコアライン１１２が水平な地面Ｇと平行となるように構えると、地面Ｇとシャフト１１５の軸線とがなす角度が所定のライ角度αとなる（図６（ａ）の状態）。
【０００３】
しかし、従来のゴルフクラブ１００では、ソール部１１１ｂが地面Ｇと略平行な状態となるため、ソール部１１１ｂが地面Ｇと接触する長さが大きくなり、コースコンディションによっては、いわゆるダフリが発生しやすい場合があった。
【０００４】
ソール部１１１ｂが地面Ｇと平行とならないようにするためには、図６（ｂ）に示すように、上述のライ角度αよりも大きなライ角度βとなるようにしてゴルフクラブ１００を構えるとよい。このようにすることにより、ゴルフクラブヘッド１１１が地面Ｇに衝突したときの抵抗力を少なくすることができ、ゴルフクラブ１００を振り切ることが可能となり、ダフリを防止できる。
【０００５】
しかし、図６（ｂ）に示すように、本来のライ角度αよりも大きなライ角度βとなるようにしてゴルフクラブ１００を構えると、スコアライン１１２が地面Ｇに対して傾いてしまうという問題があった。スコアライン１１２は、ボールを打撃するときに、ボールと直接接触する重要な部位であり、スコアライン１１２が傾いていると、ボールの飛ぶ方向、飛距離、落下後の挙動も大きく変化してしまい、ボールのコントロールが困難になるおそれがあった。
【０００６】
なお、スコアラインがソール部に対して平行となっていない従来技術として、特許文献１及び特許文献２を挙げることができる。
【先行技術文献】
【特許文献】
【０００７】
【特許文献１】特開２００２−３６０７５０号公報
【特許文献２】特開２００７−３０７０９５号公報
【発明の概要】
【発明が解決しようとする課題】
【０００８】
本発明の課題は、本来のライ角度よりも大きなライ角度となるようにしてゴルフクラブを構えた場合であっても、ボールのコントロールを容易に行え、従来と変らぬ飛距離を得ることができるゴルフクラブヘッド、ゴルフクラブを提供することである。
【課題を解決するための手段】
【０００９】
本発明は、以下のような解決手段により、前記課題を解決する。なお、理解を容易にするために、本発明の実施形態に対応する符号を付して説明するが、これに限定されるものではない。
【００１０】
請求項１の発明は、ソール部（１１ｂ）が水平又は実質的に水平となる第１の状態におけるライ角度を第１のライ角度（α）としたときに、前記第１のライ角度よりも大きな角度のライ角度である第２のライ角度（β）を形成する第２の状態において、水平面と平行となるように形成されたスコアライン（１３，２３，３３，４３，５３）が少なくとも１本形成されているゴルフクラブヘッド（１１，２１，３１，４１，５１）である。
【００１１】
請求項２の発明は、請求項１に記載のゴルフクラブヘッドにおいて、前記スコアライン（１３，２３，３３，４３，５３）は、少なくともトウ（１１ｆ，４１ｆ，５１ｆ）側に配置されていること、を特徴とするゴルフクラブヘッド（１１，２１，３１，４１，５１）である。
【００１２】
請求項３の発明は、請求項２に記載のゴルフクラブヘッドにおいて、前記トウ（１１ｆ）から張り出してフェース面と同一面として形成され、かつ、前記スコアライン（１３，２３，３３）が形成された張り出し部（１１ｃ）が設けられていること、を特徴とするゴルフクラブヘッド（１１，２１，３１）である。
【００１３】
請求項４の発明は、請求項１または請求項２に記載のゴルフクラブヘッドにおいて、フェース面において前記トウの下端（４１ｇ，５１ｇ）が直線になっていること、を特徴とするゴルフクラブヘッド（４１，５１）である。
【００１４】
請求項５の発明は、請求項１から請求項４までのいずれか１項に記載のゴルフクラブヘッドにおいて、前記スコアライン（１３，３３，４３）に加えて、前記第１の状態において水平面と平行となるように形成されたスコアライン（１２，３２，４２）がさらに設けられていること、を特徴とするゴルフクラブヘッド（１１，３１，４１）である。
【００１５】
請求項６の発明は、請求項１から請求項５までのいずれか１項に記載のゴルフクラブヘッド（１１，２１，３１，４１，５１）と、前記ゴルフクラブヘッドに接続されたシャフト（１５）と、を備えるゴルフクラブ（１０，２０，３０，４０，５０）である。
【発明の効果】
【００１６】
本発明のゴルフクラブヘッド、ゴルフクラブによれば、本来のライ角度よりも大きなライ角度となるようにしてゴルフクラブを構えた場合であっても、ボールのコントロールを容易に行え、従来と変らぬ飛距離を得ることができる。
【図面の簡単な説明】
【００１７】
【図１】本発明によるゴルフクラブヘッド１１を有するゴルフクラブ１０の第１実施形態を示す図である。
【図２】本発明によるゴルフクラブヘッド２１を有するゴルフクラブ２０の第２実施形態を示す図である。
【図３】本発明によるゴルフクラブヘッド３１を有するゴルフクラブ３０の第３実施形態を示す図である。
【図４】本発明によるゴルフクラブヘッド４１を有するゴルフクラブ４０の第４実施形態を示す図である。
【図５】本発明によるゴルフクラブヘッド５１を有するゴルフクラブ５０の第５実施形態を示す図である。
【図６】従来のゴルフクラブ１００を示す図である。
【発明を実施するための形態】
【００１８】
以下、本発明を実施するための最良の形態について図面等を参照して説明する。
【００１９】
（第１実施形態）
図１は、本発明によるゴルフクラブヘッド１１を有するゴルフクラブ１０の第１実施形態を示す図である。
なお、図１を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
【００２０】
第１実施形態のゴルフクラブ１０は、ゴルフクラブヘッド１１と、シャフト１５とを有している。
ゴルフクラブヘッド１１は、フェース面１１ａと、ソール部１１ｂと、張り出し部１１ｃと、接続部１１ｄとを備えている。
【００２１】
フェース面１１ａは、不図示のボールを打撃する面であり、略平面に形成されている。フェース面１１ａには、第１のスコアライン１２と、第２のスコアライン１３とが形成されている。第１のスコアライン１２は、フェース面１１ａのヒール部１１ｅに近い側に配置されている。第２のスコアライン１３は、フェース面１１ａのトウ部１１ｆに近い側に、ボールの外径形状と略等しい円形領域に配置されている。第１のスコアライン１２及び第２のスコアライン１３についての詳細は、後述する。
【００２２】
ソール部１１ｂは、ゴルフクラブヘッド１１の底面部分であり、シャフト１５に近いヒール部１１ｅから、先端であるトウ部１１ｆに至って延在している。
【００２３】
張り出し部１１ｃは、トウ部１１ｆから張り出してフェース面１１ａと同一面として形成されている。なお、張り出し部１１ｃの先端がゴルフクラブヘッド１１のヒール部１１ｅから５インチ以下の位置になるように、張り出し部１１ｃは形成されている。この張り出し部１１ｃには、第２のスコアライン１３が形成されている。
【００２４】
接続部１１ｄは、シャフト１５が接続される部分であり、ホーゼル又はネックとも呼ばれている部分である。
【００２５】
ここで、第１のスコアライン１２及び第２のスコアライン１３について説明する。
第１のスコアライン１２は、ソール部１１ｂと略平行に設けられており、従来のクラブヘッドに設けられているスコアラインと同様なスコアラインである。すなわち、ソール部１１ｂが水平又は実質的に水平となる図１（ａ）に示す第１の状態において、第１のスコアライン１２が水平になり、この第１のスコアライン１２にボールが当たるようにスイングすることにより、ボールに適切なバックスピンを与え、適切な方向へボールを飛ばすことができる。
この第１の状態におけるライ角度（以下、第１のライ角度）をαとする。この第１のライ角度αとなるようにしてゴルフクラブ１０を構えると、上述したように、第１のスコアライン１２は水平となる。しかし、ソール部１１ｂも地面Ｇと平行となるので、例えばコースコンディションによっては、ダフリが生じやすくなる。
【００２６】
そこで、ダフリが懸念されるような場合、本実施形態のゴルフクラブ１０は、図１（ｂ）に示す第２の状態となるように構えられることにより、ダフリを抑制しながら、ボールを適切な方向へ飛ばすことが可能となる。第２の状態におけるライ角度（以下、第２のライ角度）βは、第１のライ角度αよりも大きな角度とする。具体的には、第１のスコアライン１２と第２のスコアライン１３とがなす角度（＝上述した第１の状態において第２のスコアライン１３が水平線となす角度）だけ、第２のライ角度βが第１のライ角度αよりも大きな角度とするとよい。
【００２７】
ゴルフクラブ１０は、図１（ｂ）に示す第２の状態となるように構えられると、ソール部１１ｂが地面Ｇから離れてトウ部１１ｆ側の一部のみが地面Ｇに接するようになる。具体的には、張り出し部１１ｃの一端部のみが地面Ｇに接触するようになる。これにより、スイング時にゴルフクラブヘッド１１が地面Ｇに当たっても、その当たる範囲は、第１の状態よりも大幅に減少する。これにより、ゴルフクラブヘッド１１が地面Ｇに衝突したときの抵抗力を少なくすることができ、ゴルフクラブ１０は、十分な力で振り切られることが可能となり、ダフリを防止できる。
【００２８】
ここで、第２のスコアライン１３は、第２の状態において、水平面と平行となるように形成されている。すなわち、図１（ｂ）に示す第２の状態では、第２のスコアライン１３は、略水平に延在することとなる。したがって、ボールを第２のスコアライン１３が形成された領域で打撃すれば、従来のゴルフクラブで打った場合と同様な状態でボールと第２のスコアライン１３とが接触する。よって、第２の状態においてボールを打っても、従来と同様にボールのコントロールを行うことができ、従来と変らぬ飛距離を得ることができる。
【００２９】
また、本実施形態では、張り出し部１１ｃを設けて、第２のスコアライン１３が形成された領域を広く確保している。よって、上述した第２の状態において、容易にボールを第２のスコアライン１３が形成された領域で打撃することができる。なお、第１の実施形態において、張り出し部１１ｃを設けている例を挙げて説明したが、これに限らず、張り出し部１１ｃが設けられていないゴルフヘッドとしてもよい。
【００３０】
以上説明したように、第１実施形態によれば、ゴルフクラブ１０は、第１のスコアライン１２及び第２のスコアライン１３を備えるので、従来と変らぬ使い方とダフリを防止する使い方との両方に対応することができる。そして、ゴルフクラブ１０は、より大きなライ角度を形成するようにしてゴルフクラブ１０を構えてダフリを防止したときであっても、その状態において略水平に延在する第２のスコアライン１３によりボールを容易にコントロールできる。このことは、いわゆるあごが低いバンカーからボールを出す際にも、効果的である。また、従来と同様な飛距離も得ることもできる。
【００３１】
（第２実施形態）
図２は、本発明によるゴルフクラブヘッド２１を有するゴルフクラブ２０の第２実施形態を示す図である。図２（ａ）は、第１の状態を示し、図２（ｂ）は、第２の状態を示す。
第２実施形態のゴルフクラブ２０は、第１実施形態における第１のスコアライン１２に相当するスコアラインを有しておらず、第２のスコアライン２３がフェース面１１ａの全体に形成されている他は、第１実施形態と同様な形態をしている。よって、前述した第１実施形態と同様の機能を果たす部分には、同一の符号を付して、重複する説明を適宜省略する。
【００３２】
第２実施形態の第２のスコアライン２３は、第１実施形態の第２のスコアライン１３と同様な角度でフェース面１１ａの全体に形成されている。したがって、第２実施形態のゴルフクラブ２０は、大きなライ角度βで構えられた図２（ｂ）に示す第２の状態において用いることが主要な使用方法となる。この第２の状態では、ダフリを防止しながら、フェース面１１ａのいずれの位置にボールが当たっても、フェース面１１ａの全体に形成されている第２のスコアライン２３によりボールを容易にコントロールできる。
【００３３】
以上説明したように、第２実施形態のゴルフクラブ２０は、フェース面１１ａの全体に第２のスコアライン２３を有しているので、第２の状態で使用するために適したゴルフクラブとなっている。よって、ダフリを防止する効果をより簡単に得ることができる。
【００３４】
（第３実施形態）
図３は、本発明によるゴルフクラブヘッド３１を有するゴルフクラブ３０の第３実施形態を示す図である。図３（ａ）は、第１の状態を示し、図３（ｂ）は、第２の状態を示す。
第３実施形態のゴルフクラブ３０は、第１のスコアライン３２及び第２のスコアライン３３が形成されている領域が、第１実施形態における第１のスコアライン１２及び第２のスコアライン１３の場合と異なる点と、張り出し部３１ｃの形状が第１実施形態における張り出し部１１ｃと異なる点との他は、第１実施形態と同様な形態をしている。よって、前述した第１実施形態と同様の機能を果たす部分には、同一の符号を付して、重複する説明を適宜省略する。
【００３５】
第３実施形態では、第１実施形態における第１のスコアライン１２に相当する第１のスコアライン３２の領域を、トウ部１１ｆ側に拡大して形成している。これに伴い、第１実施形態においてボールの外径形状と略等しい円形領域に配置されていた第２のスコアライン１３に相当する第２のスコアライン３３は、第１実施形態の場合よりも形成されている範囲が狭くなっている。
【００３６】
また、第３実施形態の張り出し部３１ｃは、第１実施形態における張り出し部１１ｃとは異なり、第２の状態において地面Ｇ側へ突出せず、トウ部１１ｆの先端側へのみ突出するように形成されている。第２の状態において、プレーヤーによっては、第１実施形態の張り出し部１１ｃの突出があることにより、地面Ｇに引っ掛かりやすくてダフリを誘発し易くなったり、違和感を覚えたりする場合もあり得る。このようなプレーヤーには、この第３実施形態の張り出し部３１ｃの形態とするとよい。なお、第３実施形態のトウ部１１ｆの下端が、第２の状態において、地面Ｇと平行になるような直線であってもよい。また、第３実施形態の張り出し部３１ｃがトウ部１１ｆの先端側にも突出せず、ゴルフクラブヘッド３１のトウ部１１ｆが、図６に示す従来のゴルフクラブヘッド１１１のトウ部と同様の形であってもよい。
【００３７】
第３実施形態のゴルフクラブ３０は、第１のスコアライン３２の領域が従来のゴルフクラブと同等の範囲に形成されている。したがって、第３実施形態のゴルフクラブ３０は、通常は、従来のゴルフクラブと全く変らない使い勝手で利用可能であり、また、必要に応じて、ダフリを抑制する打ち方も可能である。ダフリを抑制する打ち方の場合には、第２のスコアライン３３にボールを当てることにより、ボールを容易にコントロールでき、従来と変らない飛距離を得ることができる。
【００３８】
（第４実施形態）
図４は、本発明によるゴルフクラブヘッド４１を有するゴルフクラブ４０の第４実施形態を示す図である。図４（ａ）は、第１の状態を示し、図４（ｂ）は、第２の状態を示す。
第４実施形態のゴルフクラブ４０は、第１実施形態における張り出し部１１ｃが設けられておらず、かつ、第１実施形態におけるトウ部１１ｆの下端が直線になっている点の他は、第１実施形態と同様の形態をしている。よって、前述した第１実施形態と同様の機能を果たす部分には、同一の符号を付して、重複する説明を適宜省略する。
【００３９】
第４実施形態でも、第１実施形態の第２のスコアライン１３と同様に、第２のスコアライン４３が、フェース面１１ａのトウ部４１ｆに近い側に、ボールの外径形状と略等しい円形領域に配置されている。また、第４実施形態のトウ部４１ｆの下端が直線になった直線部４１ｇが形成されており、第２の状態において、直線部４１ｇは地面Ｇと平行になる。それにより、第２の状態において、トウ部４１ｆの下端が地面Ｇに引っ掛かりにくくなり、ダフリをより誘発しにくくなる。
【００４０】
以上説明したように、第４実施形態のゴルフクラブ４０では、第２のスコアライン４３が、フェース面１１ａのトウ部４１ｆに近い側に、ボールの外径形状と略等しい円形領域に配置されているとともに、トウ部４１ｆの下端に直線部４１ｇを有している。それにより、プレーヤーは、第２の状態において、ダフリをより抑制しつつ、第２のスコアライン４３にボールを容易に当てて、ボールを容易にコントロールでき、従来と変らない飛距離を得ることができる。
【００４１】
（第５実施形態）
図５は、本発明によるゴルフクラブヘッド５１を有するゴルフクラブ５０の第５実施形態を示す図である。図５（ａ）は、第１の状態を示し、図５（ｂ）は、第２の状態を示す。
第５実施形態のゴルフクラブ５０は、第２実施形態における張り出し部１１ｃが設けられておらず、かつ、第２実施形態におけるトウ部１１ｆの下端が直線になっている点の他は、第２実施形態と同様の形態をしている。よって、前述した第２実施形態と同様の機能を果たす部分には、同一の符号を付して、重複する説明を適宜省略する。
【００４２】
第５実施形態のゴルフクラブ５０は、フェース面１１ａの全体に第２のスコアライン５３を有して、第２の状態で使用するために適したゴルフクラブとなっている。また、第５実施形態のゴルフクラブ５０のゴルフクラブヘッド５１では、トウ部５１ｆの下端が直線になった直線部５１ｇが形成されており、第２の状態において、直線部５１ｇは地面Ｇと平行になる。それにより、第２の状態において、トウ部５１ｆの下端が地面Ｇに引っ掛かりにくくなり、ダフリをより誘発しにくくなる。
【００４３】
以上説明したように、第５実施形態のゴルフクラブ５０は、フェース面１１ａの全体に第２のスコアライン５３を有するとともに、トウ部５１ｆの下端に直線部５１ｇを有していることにより、よりダフリを抑制でき、第２の状態で使用するためにより適したゴルフクラブとなっている。
【００４４】
（変形形態）
以上説明した実施形態に限定されることなく、種々の変形や変更が可能であって、それらも本発明の範囲内である。
【００４５】
各実施形態において、各スコアラインを多数形成した例を示しているが、これらの本数や配置は、適宜変更可能である。例えば、第２のスコアラインの本数を１本とするような形態としてもよい。
【００４６】
なお、第１実施形態から第５実施形態及び変形形態は、適宜組み合わせて用いることもできるが、詳細な説明は省略する。また、本発明は以上説明した各実施形態によって限定されることはない。
【符号の説明】
【００４７】
１０      ゴルフクラブ
１１      ゴルフクラブヘッド
１１ａ    フェース面
１１ｂ    ソール部
１１ｃ    張り出し部
１１ｄ    接続部
１１ｅ    ヒール部
１１ｆ    トウ部
１２      第１のスコアライン
１３      第２のスコアライン
１５      シャフト
２０      ゴルフクラブ
２１      ゴルフクラブヘッド
２３      第２のスコアライン
３０      ゴルフクラブ
３１      ゴルフクラブヘッド
３１ｃ    張り出し部
３２      第１のスコアライン
３３      第２のスコアライン
４０      ゴルフクラブ
４１      ゴルフクラブヘッド
４１ｆ    トウ部
４１ｇ    直線部
４２      第１のスコアライン
４３      第２のスコアライン
５０      ゴルフクラブ
５１      ゴルフクラブヘッド
５１ｆ    トウ部
５１ｇ    直線部
５３      第２のスコアライン
１００    ゴルフクラブ
１１１    ゴルフクラブヘッド
１１１ａ  フェース面
１１１ｂ  ソール部
１１２    スコアライン
１１５    シャフト
α        第１のライ角度
β        第２のライ角度
Ｇ        地面
【図１】
2015164523.tif 000003
【図２】
2015164523.tif 000004
【図３】
2015164523.tif 000005
【図４】
2015164523.tif 000006
【図５】
2015164523.tif 000007
【図６】
2015164523.tif 000008